(57)【要約】【課題】空気調和機本体の下部を据付板にねじ締め固定したねじの先端部で背面側下部の収容部に収容された冷媒管が損傷しないよう保護できるようにした空気調和機の据付装置を提供する。【解決手段】上部に係止爪１を備え、下部に固定用ねじ孔２を有する固定部３を備え、被空調室の壁面に固着された据付板４と、上部に形成された吸込口５と下部に形成された吹出口６とを結ぶ空気通路に熱交換器７と送風ファン８とを設け、背面上部に前記係止爪１に対応する係止部９を設け、背面下部に前記固定用ねじ孔２に対応する挿通孔１０を備えた取付部１１と、前記熱交換器７に連なる冷媒管１２を収容する収容部１３とを設けた本体４とからなる空気調和機の据付装置において、前記固定部３の固定用ねじ孔２の近傍に、同固定用ねじ孔２に螺着され、前記収容部１３に突出するねじ１５の先端部よりも突出長の大きい突出体１６を設けた。【選択図】  図１
2004245539.tif 000002
【特許請求の範囲】
【請求項１】
上部に係止爪を備え、下部に固定用ねじ孔を有する固定部を備え、被空調室の壁面に固着された据付板と、上部に形成された吸込口と下部に形成された吹出口とを結ぶ空気通路に熱交換器と送風ファンとを設け、背面上部に前記係止爪に対応する係止部を設け、背面下部に前記固定用ねじ孔に対応する挿通孔を備えた取付部と、前記熱交換器に連なる冷媒管を収容する収容部とを設けた本体とからなる空気調和機の据付装置において、
前記固定部の固定用ねじ孔の近傍に、同固定用ねじ孔に螺着され、前記収容部に突出するねじの先端部よりも突出長の大きい突出体が設けられてなることを特徴とする空気調和機の据付装置。
【請求項２】
前記突出体が、前記据付板と一体的に形成されてなることを特徴とする請求項１に記載の空気調和機の据付装置。
【請求項３】
前記突出体が、前記固定用ねじ孔の周囲に複数設けられてなることを特徴とする請求項１または請求項２に記載の空気調和機の据付装置。
【請求項４】
前記突出体の先端部が円弧状に形成されてなることを特徴とする請求項１乃至請求項３の何れかに記載の空気調和機の据付装置。
【発明の詳細な説明】
【０００１】
【発明の属する技術分野】
本発明は、空気調和機の据付装置に係わり、より詳細には、空気調和機本体の下部を据付板にねじ締め固定したねじの先端部で背面側下部の収容部に収容された冷媒管が損傷しないよう保護できるようにした構造に関する。
【０００２】
【従来の技術】
従来の空気調和機の据付装置には、据付片の下端に下止部を形成し、空気調和機本体下部に設けた配管収納用の凹部に、下止部と相対する位置に固定片を形成し、ネジにより下止部と固定片を固定することが可能なため、配管作業時における配管の変形や、曲りによる空気調和機本体の下方の浮き上がりを防止できるようにしたものがあった（例えば、特許文献１参照。）。
【０００３】
しかしながら、上記構成でなる空気調和機の据付装置は、特許文献１の図３で示すように、ネジにより下止部と固定片を固定する際、このネジ締めで固定する箇所が配管収納用の凹部の上端近傍に位置していることからネジ締め固定するための作業性が悪い上、凹部内に突出したネジの先端部によって収納された冷媒管および、または冷媒管に被着した断熱材を損傷してしまう恐れがあった。
【０００４】
【特許文献１】
特開平５−２９６４８７号公報（第３頁、第３図）
【０００５】
【発明が解決しようとする課題】
本発明においては、上記の問題点に鑑み、空気調和機本体の下部を据付板にねじ締め固定したねじの先端部で背面側下部の収容部に収容された冷媒管が損傷しないよう保護できるようにした空気調和機の据付装置を提供することを目的とする。
【０００６】
【課題を解決するための手段】
本発明は、上記課題を解決するため、上部に係止爪を備え、下部に固定用ねじ孔を有する固定部を備え、被空調室の壁面に固着された据付板と、上部に形成された吸込口と下部に形成された吹出口とを結ぶ空気通路に熱交換器と送風ファンとを設け、背面上部に前記係止爪に対応する係止部を設け、背面下部に前記固定用ねじ孔に対応する挿通孔を備えた取付部と、前記熱交換器に連なる冷媒管を収容する収容部とを設けた本体とからなる空気調和機の据付装置において、
前記固定部の固定用ねじ孔の近傍に、同固定用ねじ孔に螺着され、前記収容部に突出するねじの先端部よりも突出長の大きい突出体が設けられてなる構成となっている。
【０００７】
また、前記突出体が、前記据付板と一体的に形成されてなる構成となっている。
【０００８】
また、前記突出体が、前記固定用ねじ孔の周囲に複数設けられてなる構成となっている。
【０００９】
更に、前記突出体の先端部が円弧状に形成されてなる構成となっている。
【００１０】
【発明の実施の形態】
以下、本発明の実施の形態を図面に基づいた実施例として詳細に説明する。
図１は本発明による空気調和機の据付装置の説明図で、（Ａ）は断面図、（Ｂ）は要部断面図であり、図２は本発明による空気調和機の据付装置の要部斜視図であり、図３は本発明による空気調和機の据付装置の斜視図であり、図４は本発明による空気調和機の据付装置の要部説明図で、（Ａ）は図３で示すＡ部の拡大図、（Ｂ）は一実施例を示すＡ部の拡大図、（Ｃ）は他の実施例を示すＡ部の拡大図である。
【００１１】
本発明による空気調和機の据付装置は、図で示すように、被空調室の壁面に固着される据付板４と、同据付板４によって壁掛け設置される空気調和機本体１４とからなる構成になっている。
【００１２】
前記据付板４は板金製により金型で成形されてなり、上部に複数の係止爪１を備え、下部に固定用ねじ孔２を有する複数の固定部３を備えて、被空調室の壁面にねじ締めされることによって固着されている。
【００１３】
前記空気調和機本体１４は、上部に形成された吸込口５と、下部に形成された吹出口６とを結ぶ空気通路に熱交換器７と送風ファン８とを設け、背面上部に前記係止爪１に対応する係止部９を設け、背面下部に前記固定用ねじ孔２に対応する挿通孔１０を備えた取付部１１と、前記熱交換器７に連なる冷媒管１２を収容する収容部１３とを設けた構成になっている。
【００１４】
上記構成により、被空調室の壁面に固着された前記据付板４の係止爪１に前記本体１４の係止部９を係止し、前記取付部１１の挿通孔１０を通したねじ１５を前記固定部３の固定用ねじ孔２に螺着することにより、とくに、前記本体１４の下部の浮き上がりを防止して、壁掛け式による据付ができるようにした空気調和機の据付装置になる。
【００１５】
そして、前記固定部３の固定用ねじ孔２の近傍には、同固定用ねじ孔２に螺着され、前記収容部１３に突出したねじ１５の先端部よりも突出長の大きい突出体１６が設けられ、同突出体１６の先端部に前記冷媒管１２を当接させることにより、同冷媒管１２が前記ねじ１５の先端部に当って損傷してしまわないようにした構成となっている。
【００１６】
以上の構成により、次にその動作について説明する。
前記本体１４を被空調室の壁面に据え付ける際、図１（Ａ）および図１（Ｂ）で示すように、上記説明のとおり、前記係止爪１に前記係止部９を係止したのち、前記取付部１１の挿通孔１０を通したねじ１５を、前記固定部３の固定用ねじ孔２に螺着する。
【００１７】
その際、前記挿通孔１０を備えた取付部１１は、図２で示すように、前記本体１４の最下部に左右に対をなして設けられており、これによって、前記本体１４の下部からの前記ねじ１５によるねじ締め作業が容易になると共に、前記本体１４の下部が前記据付板４から浮いてしまわないように、また、捩じれてしまったりしないようにバランスよく固定される。
【００１８】
そして、前記取付部１１に対向させた前記固定部３の固定用ねじ孔２の近傍に、図３で示すように前記突出体１６が左右に対をなして設けられており、これによって、前記固定用ねじ孔２に螺着されて前記収容部１３に突出したねじ１５の先端部が、前記冷媒管１２に当接しないように効果的に保護されることになる。
【００１９】
また、前記突出体１６は、図４（Ａ）で示すように、前記固定用ねじ孔２の近傍に、同固定用ねじ孔２を挟むように複数設けられており、これによって、前記収容部１３に突出したねじ１５の先端部を、前記冷媒管１２に当接させないように効果的に保護できる。
【００２０】
なお、前記据付板４は、上記説明のとおり板金製により金型で成形された構成になっており、図４（Ｂ）で切起し孔１６’  を示すように、前記突出体１６は、切起しによって前記固定部３に対をなして連続形成されると共に、前記固定用ねじ孔２は、所謂バーリング加工部２’を有して前記一対の突出体１６の間に穿設されており、これによって、前記固定用ねじ孔２の近傍に前記突出体１６を容易に設けることができるようになると共に、前記固定用ねじ孔２のねじ山を増やして前記ねじ１５を螺着する時の強度を増強できる。
【００２１】
また、かりに前記据付板４を合成樹脂製によって金型で成形をするような場合には、図４（Ｃ）で示すように、前記突出体１６および前記バーリング加工部２’を突設させるように前記据付板４と一体成形すればよい。
【００２２】
このように、前記突出体１６および前記バーリング加工部２’は、板金製もしくは合成樹脂製の場合とも、前記据付板４と一体的に形成することによって、コスト的に有利な構成で正確に形成できる。
【００２３】
また、前記突出体１６は、前記収容部１３に突出したねじ１５の先端部よりも大きい突出長で形成されると共に、その先端部が円弧状に形成されることによって、前記冷媒管１２および、または同冷媒管１２に被着した断熱材を損傷させてしまわないよう効果的に保護できる。
【００２４】
【発明の効果】
以上説明したように、本発明によれば、空気調和機本体の下部を据付板にねじ締め固定したねじの先端部で背面側下部の収容部に収容された冷媒管が損傷しないよう保護できるようにした空気調和機の据付装置となる。
【図面の簡単な説明】
【図１】本発明による空気調和機の据付装置の説明図で、（Ａ）は断面図であり、（Ｂ）は要部断面図である。
【図２】本発明による空気調和機の据付装置の要部斜視図である。
【図３】本発明による空気調和機の据付装置の斜視図である。
【図４】本発明による空気調和機の据付装置の要部説明図で、（Ａ）は図３で示すＡ部の拡大図であり、（Ｂ）は一実施例を示すＡ部の拡大図であり、（Ｃ）は他の実施例を示すＡ部の拡大図である。
【符号の説明】
１  係止爪
２  固定用ねじ孔
２’  バーリング加工部
３  固定部
４  据付板
５  吸込口
６  吹出口
７  熱交換器
８  送風ファン
９  係止部
１０  挿通孔
１１  取付部
１２  冷媒管
１３  収容部
１４  本体
１５  ねじ
１６  突出体
１６’  切起し孔
【図１】
2004245539.tif 000003
【図２】
2004245539.tif 000004
【図３】
2004245539.tif 000005
【図４】
2004245539.tif 000006